Podtech/llm-jp-corpus-v4-ja_patent huggingface dataset:
【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
固体酸化物形燃料電池スタック（１２）及びガスタービン機関（１４）を備え、
前記固体酸化物形燃料電池スタック（１２）が、少なくとも一つの固体酸化物形燃料電池（１６）を備え、
各固体酸化物形燃料電池（１６）が、電解質（１８）と、アノード（２０）と、カソード（２２）とを備えており、
前記ガスタービン機関（１４）が、圧縮機（２４）と、前記圧縮機（２４）を駆動するようになされるタービン（２６）とを備え、
前記圧縮機（２４）が、酸化剤混合器（６０）を介して、前記少なくとも一つの固体酸化物形燃料電池（１６）の前記カソード（２２）に酸化剤を供給するようになされ、
前記酸化剤混合器（６０）が、前記少なくとも一つの固体酸化物形燃料電池（１６）の前記カソード（２２）からの未利用の前記酸化剤の一部を、前記圧縮機（２４）からの前記酸化剤と共に、前記少なくとも一つの固体酸化物形燃料電池（１６）の前記カソード（２２）に戻して供給するようになされており、
追加圧縮機（６４）と、前記追加圧縮機（６４）を駆動するようになされる電動機（６６）とをさらに備え、
前記圧縮機（２４）が、前記追加圧縮機（６４）に酸化剤を供給するようになされ、
前記追加圧縮機（６４）が、前記酸化剤混合器（６０）に酸化剤を供給するようになされ、
前記固体酸化物形燃料電池スタック（１２）が、前記タービン（２６）に排ガスを供給するようになされており、
前記酸化剤混合器（６０）が、酸化剤エゼクタである、
固体酸化物形燃料電池システム（１０）。
【請求項２】
固体酸化物形燃料電池システム（１０）であって、
冷却器（７０）と、復熱器（７２）とをさらに備え、
前記圧縮機（２４）が、前記冷却器（７２）を介して、前記追加圧縮機（６４）に酸化剤を供給するようになされ、
前記追加圧縮機（６４）が、前記復熱器（７２）を介して、前記酸化剤混合器（６０）に酸化剤を供給するようになされ、
前記固体酸化物形燃料電池スタック（１２）が、前記タービン（２６）に排ガスを供給するようになされ、
前記タービン（２６）が、前記復熱器（７２）を通って流れる前記酸化剤を加熱するために、前記復熱器（７２）を介して前記排ガスを供給するようになされている、
請求項１に記載の固体酸化物形燃料電池システム。
【請求項３】
前記少なくとも一つの固体酸化物形燃料電池（１６）の前記カソード（２２）は、燃焼器（５２）に前記未利用の酸化剤の一部を供給するようになされ、
前記少なくとも一つの固体酸化物形燃料電池（１６）の前記アノード（２２）は、燃焼器（５２）に前記未利用の燃料の一部を供給するようになされ、
前記燃焼器（５２）は、前記タービン（２６）に前記燃焼器（５２）排ガスの少なくとも一部を供給するようになされる、
請求項１又は２に記載の固体酸化物形燃料電池システム。
【請求項４】
前記燃焼器（５２）は、前記タービン（２６）に前記燃焼器（５２）排ガスの一部を供給するようになされる、
請求項３に記載の固体酸化物形燃料電池システム。
【請求項５】
前記燃焼器（５２）は、熱交換器（８２）を通る第一の流路（８６）に、前記燃焼器（５２）排ガスの前記一部を供給するようになされ、
前記酸化剤混合器（６０）は、前記熱交換器（８２）を通る第二の流路（１００）を通じて、前記少なくとも一つの固体酸化物形燃料電池（１６）の前記カソード（２２）からの前記未利用の酸化剤の前記一部を、前記圧縮機（２４）からの前記酸化剤と共に、前記少なくとも一つの固体酸化物形燃料電池（１６）の前記カソード（２２）に戻して供給するようになされる、
請求項４に記載の固体酸化物形燃料電池システム。
【請求項６】
前記追加圧縮機（６４）は、前記復熱器（７２）を介して、追加混合器（７４）に酸化剤を供給するようになされ、
前記燃焼器（５２）は、前記追加混合器（７４）に前記燃焼器（５２）排ガスを供給するようになされ、
前記追加混合器（７４は、前記熱交換器（８２）を通る前記第一の流路（８６）に、酸化剤及び前記燃焼器（５２）排ガスを供給するようになされる、
請求項５に記載の固体酸化物形燃料電池システム。
【請求項７】
前記熱交換器（８２）は、前記燃焼器（５２）に、前記熱交換器（８２）を通って前記第一の流路（８６）を出ていく前記燃焼器（５２）排ガスの第一部分及び酸化剤を供給するようになされ、
前記熱交換器（８２）は、前記タービン（２６）に、前記熱交換器（８２）を通って前記第一の流路（８６）を出ていく前記燃焼器（５２）排ガスの第二部分及び酸化剤を供給するようになされる、
請求項６に記載の固体酸化物形燃料電池システム。
【請求項８】
前記追加混合器（７４）は追加エゼクタである、
請求項６又は７に記載の固体酸化物形燃料電池システム。
【請求項９】
前記追加圧縮機（６４）はファン又はブロワである、
請求項１ないし８のいずれかに記載の固体酸化物形燃料電池システム。
【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
下部反射表面と、
前記下部反射表面上の複数のＬＥＤと、
前記複数のＬＥＤの上方に設けられ、前記複数のＬＥＤの頂点を越えて、後部反射表面に向かって延びる遮蔽反射表面であって、下端及び上端を有し、前記下端は、前記上端より前記後部反射表面から遠く、前記上端より前記下部反射表面に近い、遮蔽反射表面と、
前記遮蔽反射表面の上方に延在する透過性拡散板とを含み、
前記遮蔽反射表面は、前記下部反射表面と前記透過性拡散板との間に配置され、
前記複数のＬＥＤからの光出力の少なくとも一部は、前記透過性拡散板を通過する前に、前記遮蔽反射表面、前記下部反射表面、そして前記後部反射表面によって反射される、ＬＥＤベース照明器具。
【請求項２】
前記透過性拡散板は弓状の形状を有する、請求項１に記載のＬＥＤベース照明器具。
【請求項３】
前記透過性拡散板は、前記複数のＬＥＤの見通し線上に無い、請求項１に記載のＬＥＤベース照明器具。
【請求項４】
前記遮蔽反射表面は線形である、請求項３に記載のＬＥＤベース照明器具。
【請求項５】
前記後部反射表面と前記下部反射表面とは実質的に互いに垂直である、請求項１に記載のＬＥＤベース照明器具。
【請求項６】
前記透過性拡散板は、前記下部反射表面に向かって、前記遮蔽反射表面の前記上端より前記下部反射表面に近い第１の位置まで延びる、請求項１に記載のＬＥＤベース照明器具。
【請求項７】
前記後部反射表面は後部反射表面上端まで延び、前記透過性拡散板は、前記下部反射表面に向かって、前記後部反射表面上端より前記下部反射表面に近い第１の位置まで延びる、請求項１に記載のＬＥＤベース照明器具。
【請求項８】
前記透過性拡散板は、実質的に前記下部反射表面まで延びる、請求項１に記載のＬＥＤベース照明器具。
【請求項９】
前記透過性拡散板は、実質的に前記後部反射表面まで延びる、請求項８に記載のＬＥＤベース照明器具。
【請求項１０】
前記遮蔽反射表面は、前記下部反射表面の大部分を前記透過性拡散板から二分する、請求項１に記載のＬＥＤベース照明器具。
【請求項１１】
前記遮蔽反射表面は、前記複数のＬＥＤからの前記光出力の大部分と交差する、請求項１に記載のＬＥＤベース照明器具。
【請求項１２】
前記後部反射表面は、上部突出反射表面を含み、前記上部突出反射表面は、概ね前記遮蔽反射表面に向かって内側に延び、前記遮蔽反射表面の上方に位置する、請求項１に記載のＬＥＤベース照明器具。
【請求項１３】
前記複数のＬＥＤからの前記光出力の少なくとも一部は、前記透過性拡散板を通過する前に、前記遮蔽反射表面、前記下部反射表面、そして前記後部反射表面によって反射される、請求項１に記載のＬＥＤベース照明器具。
【請求項１４】
前記遮蔽反射表面内に割り込む、前記遮蔽反射表面の前記上端より前記遮蔽反射表面の前記下端に近い位置に配置される透過窓をさらに含む、請求項１に記載のＬＥＤベース照明器具。
【請求項１５】
前記透過性拡散板は、前記後部反射表面と前記下部反射表面との間に全体が延在する、請求項１に記載のＬＥＤベース照明器具。
【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
照明デバイスのベースに配置される光源であって、主前方の放射方向を持つ前記光源と、
前記照明デバイスを制御するための信号を受信する無線周波数（ＲＦ）アンテナと、
前記光源からの光を前記照明デバイスの外に、前記主前方の放射方向に対して横方向に及び後方へ反射する反射器と、
を有し、
前記ＲＦアンテナが前記反射器に配置される、照明デバイス。
【請求項２】
前記反射器は、前記ベースから延在する、請求項１に記載の照明デバイス。
【請求項３】
複数の光源は、前記反射器の周囲の前記ベースに配置される、請求項２に記載の照明デバイス。
【請求項４】
前記ＲＦアンテナと前記ベースとの間で信号を送信する有線通信回線を更に有する、請求項１に記載の照明デバイス。
【請求項５】
前記有線通信回線は、前記反射器に沿って延在する、請求項２及び４に記載の照明デバイス。
【請求項６】
前記ＲＦアンテナは、前記光源から離れる前記反射器の側に配置される、請求項１に記載の照明デバイス。
【請求項７】
前記反射器は、前記照明デバイスの前記ベースに向かって次第に細くなる、請求項１に記載の照明デバイス。
【請求項８】
前記光源が含まれるエンベロープを更に有し、前記エンベロープ及び前記反射器は、共に光混合室を規定する、請求項１に記載の照明デバイス。
【請求項９】
前記光混合室は、トロイド形状である、請求項８に記載の照明デバイス。
【請求項１０】
前記反射器及び前記エンベロープの前方エンドポイントが接触するように、前記反射器は、前記ベースから前記エンベロープまで延在する、請求項８に記載の照明デバイス。
【請求項１１】
前記光源を駆動するための駆動電子回路は、前記ベースの中に配置される、請求項１に記載の照明デバイス。
【請求項１２】
前記ベースは、前記光源及び駆動電子回路などの前記ベースに配置されたコンポーネントを冷却するためのヒートシンクを有する、請求項１に記載の照明デバイス。
【請求項１３】
前記ヒートシンクは、金属でできている、請求項１２に記載の照明デバイス。
【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
対向関係にある第１面及び第２面（３０４；３０５）を有する燃料電池分離プレート（３０８；４０８；５０８；６０８；７０８）であって、
前記分離プレートは、対向関係にある前記プレートの第１端部および第２端部（３０３；４０３；５０３）の間に延び、空気が沿って流れる流路（３０２；４０２；５０２）を供する一連の起伏（３１３；４１３；５１３）と、シール領域に対してシールするための第１端部および第２端部（３０３；４０３；５０３）における第１端部領域および第２端部領域とを有しており、前記第１面と比べて前記第２面側の接触面積がより大きくなるように、前記プレートの前記第１端部領域における前記第１面（３０４）側の前記起伏（３０１；４０１；５０１）の頂部（３１３；４１３；５１３）が陥没させられ、前記第２面側の前記起伏の隣接する頂部（３１４；４１４；５１４）と同一平面上とされており、それぞれの陥没した起伏頂部はプレート材料の折り返しを１つだけ含む、
燃料電池分離プレート。
【請求項２】
請求項１に記載された燃料電池分離プレート（３０８；４０８；５０８；６０８；７０８）であって、前記第１面側の前記起伏の頂部が、前記第１端部と、前記プレートの前記第１端部（３０３）に平行でかつ前記流路を横切る切断線（３０９）との間で陥没させられている、燃料電池分離プレート。
【請求項３】
請求項１または２に記載された燃料電池分離プレート（３０８；４０８；６０８）であって、それぞれの陥没した起伏頂部が、前記プレート材料の折り返し（３１１，３１２；４１１，４１２）を２つ含む、燃料電池分離プレート。
【請求項４】
請求項１または２に記載された燃料電池分離プレート（５０８；７０８）であって、それぞれの陥没した起伏頂部が、プレート材料の折り返し（５１１；７１１）を１つだけ含む、燃料電池分離プレート。
【請求項５】
請求項３または４に記載された燃料電池分離プレート（４０８；５０８）であって、各折り返し（４１１，４１２；５１１）が、前記第２面に向かってかつ空気が沿って流れるそれぞれの流路から遠ざかる方向に折り重ねられている、燃料電池分離プレート。
【請求項６】
請求項１乃至５の何れかに記載された燃料電池分離プレート（４０８；５０８；６０８；７０８）であって、陥没した起伏頂部の領域は、前記プレートの前記第１端部（４０３）に平行に、前記第１面に流路（４０９）を画定する、燃料電池分離プレート。
【請求項７】
請求項１乃至５の何れかに記載された燃料電池分離プレート（３０８）であって、前記プレートの前記第１端部における前記第１面側の前記起伏の頂部が陥没させられ、前記第２面側の前記起伏の隣接する頂部と同一平面上となっている、燃料電池分離プレート。
【請求項８】
対向関係にあるプレートの第１および第２端部の間に延び、空気が沿って流れる流路を供する、一連の起伏を与え、第１端部領域および第２端部領域はシール領域に対してシールするための第１端部および第２端部にあり、
第１面と比べて第２面側の接触面積をより大きくするために、前記プレートの前記第１端部領域における前記第１面側の起伏の頂部を陥没させ、前記第２面側の起伏の頂部と同一平面上とする工程からなり、それぞれの陥没した起伏頂部はプレート材料の折り返しを１つだけ含む燃料電池分離プレート（３０８；４０８；５０８；６０８；７０８）の形成方法。
【請求項９】
請求項８に記載された方法であって、前記プレートの前記第１端部と平行な切断線（３０９）で前記第１面沿いに前記プレート（３０８；４０８；５０８；６０８；７０８）を切断し、前記起伏の頂部が、前記第１端部と前記切断線の間で陥没させられる、方法。
【請求項１０】
請求項８または９に記載された方法であって、それぞれの陥没した起伏頂部に、プレート材料の折り返し（３１１，３１２，４１１，４１２）を２つ形成する、方法。
【請求項１１】
請求項８または９に記載された方法であって、それぞれの陥没した起伏頂部に、プレート材料の折り返し（５１１，７１１）を１つだけ形成する、方法。
【請求項１２】
請求項１０または１１に記載された方法であって、各折り返し（４１１，５１１）は、前記第２面に向かってかつそれぞれの空気流路から遠ざかる方向に折り重ねられる、方法。
【請求項１３】
請求項８乃至１２のいずれかに記載された方法であって、陥没した起伏頂部の領域は、前記プレート（４０８；５０８；６０８；７０８）の前記第１端部（４０３）に平行に、前記第１面に流路（４０９）を画定する、方法。
【請求項１４】
請求項８乃至１３のいずれかに記載された方法であって、前記プレートの前記第１端部における前記第１面側の前記起伏の頂部を陥没させ、前記第２面側の前記起伏の頂部と同一平面上とする、方法。
【請求項１５】
アノードプレート（１０１）と、
アノード側拡散層（１０２）と、
アノードガスケット（１０３）と、
膜電極接合体ＭＥＡ（１０４）と、
カソードガスケット（１０５）と、
カソード側拡散層（１０６）と、
請求項１乃至７のいずれかに記載された燃料電池分離プレートを含む波形カソード分離プレート（３０８；４０８；５０８；６０８；７０８）と、
セルのアノード側に燃料を供給する一対のマニホールドガスケット（１０９ａ，１０９ｂ）と、を順に含む、燃料電池集合体（１００）。
【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
複数のコンテンツレイヤを含むコンテンツのタイルベースレンダリングを行う方法であって、前記コンテンツは少なくとも第１タイルおよび第２タイルを含む複数のタイルとして編成され、当該方法は、
少なくとも１つのプロセッサを使用して１つ以上の画素値を計算することにより、前記第１タイルに対応する前記コンテンツの少なくとも第１部分をレンダリングするステップと、
前記レンダリングするステップに応じて、他のタイルに対応するコンテンツをレンダリングする前に、少なくとも１つの操作を前記１つ以上の画素値に対して行うステップであって、前記少なくとも１つの操作は前記複数のコンテンツレイヤのうち少なくとも２つを合成する操作を含む、ステップと、
を含む方法。
【請求項２】
前記少なくとも１つの操作を行うステップに応じて、前記第２タイルに対応する前記コンテンツの少なくとも第２部分をレンダリングするステップ
をさらに含む請求項１記載の方法。
【請求項３】
前記少なくとも１つの操作を前記１つ以上の画素値に対して行うステップは、
前記１つ以上の画素値を用いて１つ以上の新たな画素値を計算するステップ
を含む、請求項１記載の方法。
【請求項４】
前記少なくとも１つの操作を行うステップは、
前記少なくとも１つの操作を、透過効果および／またはクリッピング効果のいずれかを前記コンテンツの前記第１部分に適用することの一部として行うステップ
を含む、請求項１記載の方法。
【請求項５】
前記少なくとも１つのプロセッサはグラフィック処理ユニット（ＧＰＵ）である、請求項１記載の方法。
【請求項６】
複数のコンテンツレイヤを含むコンテンツをレンダリングするシステムであって、前記コンテンツは第１タイルおよび第２タイルを含む複数のタイルとして編成され、当該システムは、
グラフィック処理ユニット（ＧＰＵ）
を備え、
前記ＧＰＵは、
前記第１タイルに対応する前記コンテンツの少なくとも第１部分をレンダリングして１つ以上の画素値を生成し、
少なくとも１つの操作を前記１つ以上の画素値に対して行う動作であって、前記少なくとも１つの操作は前記複数のコンテンツレイヤのうち少なくとも２つを合成する操作を含む、動作、または
前記第２タイルに対応する前記コンテンツの少なくとも第２部分をレンダリングする動作
のうちのいずれを最初に行うかについての指示を受信する
ように構成され、
前記指示が、前記少なくとも１つの操作が最初に行われるべきであることを示す場合、前記ＧＰＵは、
前記少なくとも１つの操作を前記１つ以上の画素値に対して行い、前記少なくとも１つの操作を行った後に、前記第２タイルに対応する前記コンテンツの前記第２部分をレンダリングするように構成される、
システム。
【請求項７】
前記コンテンツの前記少なくとも第１部分は、第１コンテンツレイヤおよび第２コンテンツレイヤを含み、前記１つ以上の画素値は、第１画素値集合および第２画素値集合を含み、前記ＧＰＵは、
前記第１タイルに対応する前記第１コンテンツレイヤの少なくとも一部分をレンダリングして第１画素値集合を計算することと、
前記第１コンテンツレイヤの前記少なくとも一部分をレンダリングすることに応じて、前記第１画素値集合を別のメモリ領域にコピーすることと、
前記コピーすることに応じて、前記第１タイルに対応する前記第２コンテンツレイヤの少なくとも一部分をレンダリングして第２画素値集合を計算することと、
により前記第１タイルに対応する前記コンテンツの前記少なくとも第１部分をレンダリングするようにさらに構成される、
請求項６記載のシステム。
【請求項８】
前記別のメモリ領域は前記ＧＰＵに搭載されない、請求項７記載のシステム。
【請求項９】
前記少なくとも１つの操作を前記１つ以上の画素値に対して行う動作は、前記第１画素値集合および前記第２画素値集合を用いて１つ以上の新たな画素値を取得する動作を含む、請求項７記載のシステム。
【請求項１０】
前記指示を受信することは、
グラフィック処理ルーチンへのインターフェースを介して前記指示を受信することを含み、
前記指示はパラメータを含み、該パラメータの値が、最初に前記少なくとも１つの操作を前記１つ以上の画素値に対して行うべきことを示す、
請求項６記載のシステム。
【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
コンピュータ・デバイスが、該コンピュータ・デバイス上で実行しているアプリケーションの現在のユーザ・インタフェースの表示中に該コンピュータ・デバイスの側面に搭載されたタッチパッドにおけるタッチ・イベントを検知する工程であって、前記アプリケーションはナビゲーション階層を含み、該ナビゲーション階層は、ホーム・ユーザ・インタフェース層と、複数のサブ・ユーザ・インタフェース層と、複数のユーザ・インタフェース・ブランチとを含む、前記工程と、
前記コンピュータ・デバイスが、前記現在のユーザ・インタフェースが対応する特定のサブ・ユーザ・インタフェース層と特定のユーザ・インタフェース・ブランチとを判定する工程と、
該タッチ・イベントが進む側方フリック・イベントであり、かつ、前記現在のユーザ・インタフェースの前記特定のユーザ・インタフェース・ブランチに次のユーザ・インタフェース層が存在する場合、前記コンピュータ・デバイスが、前記現在のユーザ・インタフェースの前記特定のユーザ・インタフェース・ブランチにおける該次のユーザ・インタフェース層にナビゲートする工程と、
該タッチ・イベントが戻る側方フリック・イベントであり、かつ、前記現在のユーザ・インタフェースの前記特定のユーザ・インタフェース・ブランチに前のサブ・ユーザ・インタフェース層が存在する場合、前記コンピュータ・デバイスが、前記現在のユーザ・インタフェースの前記特定のユーザ・インタフェース・ブランチにおける該前のユーザ・インタフェース層にナビゲートする工程と、
を備える方法。
【請求項２】
前記タッチ・イベントがタップ・イベントである場合、前記コンピュータ・デバイスが、前記ホーム・ユーザ・インタフェース層に直接ナビゲートする工程をさらに備える、請求項１に記載の方法。
【請求項３】
前記アプリケーションはウェブ・ブラウザである、請求項１に記載の方法。
【請求項４】
前記アプリケーションはオペレーティング・システムである、請求項１に記載の方法。
【請求項５】
前記側面に搭載されたタッチパッドは凹面を備える、請求項１に記載の方法。
【請求項６】
装置であって、
ディスプレイと、
側面に搭載されたタッチパッドと、
１つ以上のプロセッサと、
前記プロセッサに接続されているメモリであって、前記プロセッサによって実行可能な命令を含むメモリと、を備える装置であって、
前記命令の実行時、前記プロセッサは、
前記装置上で実行しているアプリケーションの現在のユーザ・インタフェースの表示中に前記装置の側面に搭載されたタッチパッドにおけるタッチ・イベントを検知する工程であって、前記アプリケーションはナビゲーション階層を含み、該ナビゲーション階層は、ホーム・ユーザ・インタフェース層と、複数のサブ・ユーザ・インタフェース層と、複数のユーザ・インタフェース・ブランチとを含む、前記工程と、
前記現在のユーザ・インタフェースが対応する特定のサブ・ユーザ・インタフェース層と特定のユーザ・インタフェース・ブランチとを判定する工程と、
該タッチ・イベントが進む側方フリック・イベントであり、かつ、前記現在のユーザ・インタフェースの前記特定のユーザ・インタフェース・ブランチに次のユーザ・インタフェース層が存在する場合、前記現在のユーザ・インタフェースの前記特定のユーザ・インタフェース・ブランチにおける該次の層にナビゲートする工程と、
該タッチ・イベントが戻る側方フリック・イベントであり、かつ、前記現在のユーザ・インタフェースの前記特定のユーザ・インタフェース・ブランチに前のサブ・ユーザ・インタフェース層が存在する場合、
前記現在のユーザ・インタフェースの前記特定のユーザ・インタフェース・ブランチにおける該前の層にナビゲートする工程と、
を実行するように動作可能である、装置。
【請求項７】
前記命令の実行時、前記プロセッサは、前記タッチ・イベントがタップ・イベントである場合、前記ホーム・ユーザ・インタフェース層に直接ナビゲートする工程を実行するようにさらに動作可能である、請求項６に記載の装置。
【請求項８】
前記ディスプレイはタッチ・スクリーンである、請求項６に記載の装置。
【請求項９】
前記側面に搭載されたタッチパッドは凹面を備える、請求項６に記載の装置。
【請求項１０】
前記アプリケーションはウェブ・ブラウザである、請求項６に記載の装置。
【請求項１１】
前記アプリケーションはオペレーティング・システムである、請求項６に記載の装置。
【請求項１２】
ソフトウェアを具現化する１つ以上の非一時的なコンピュータ可読記憶媒体であって、実行時、該ソフトウェアは、
コンピュータ・デバイス上で実行しているアプリケーションの現在のユーザ・インタフェースの表示中に前記コンピュータ・デバイスの側面に搭載されたタッチパッドにおけるタッチ・イベントを検知する工程であって、前記アプリケーションはナビゲーション階層を含み、該ナビゲーション階層は、ホーム・ユーザ・インタフェース層と、複数のサブ・ユーザ・インタフェース層と、複数のユーザ・インタフェース・ブランチとを含む、前記工程と、
前記現在のユーザ・インタフェースが対応する特定のサブ・ユーザ・インタフェース層と特定のユーザ・インタフェース・ブランチとを判定する工程と、
該タッチ・イベントが進む側方フリック・イベントであり、かつ、前記現在のユーザ・インタフェースの前記特定のユーザ・インタフェース・ブランチに次のユーザ・インタフ
ェース層が存在する場合、前記現在のユーザ・インタフェースの前記特定のユーザ・インタフェース・ブランチにおける該次の層にナビゲートする工程と、
該タッチ・イベントが戻る側方フリック・イベントであり、かつ、前記現在のユーザ・インタフェースの前記特定のユーザ・インタフェース・ブランチに前のサブ・ユーザ・インタフェース層が存在する場合、前記現在のユーザ・インタフェースの前記特定のユーザ・インタフェース・ブランチにおける該前の層にナビゲートする工程と、
を実行するように動作可能である、媒体。
【請求項１３】
前記ソフトウェアは、実行時、
前記タッチ・イベントがタップ・イベントである場合、前記ホーム・ユーザ・インタフェース層に直接ナビゲートする工程、を実行するようにさらに動作可能である、請求項１２に記載の媒体。
【請求項１４】
前記アプリケーションはウェブ・ブラウザである、請求項１２に記載の媒体。
【請求項１５】
前記アプリケーションはオペレーティング・システムである、請求項１２に記載の媒体。
【請求項１６】
前記側面に搭載されたタッチパッドは凹面を備える、請求項１２に記載の媒体。
【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
薄膜デバイスの少なくとも一部を製造する方法であって、
基板に１つまたは複数のくぼみを形成する工程、ここでくぼみは側壁とベースを有するものであり、
前記１つまたは複数のくぼみの少なくとも１つを第１インクで充填する工程、ここで前記第１インクは、第１材料前駆体を含むものであり、
くぼみ内部で前記ベースの表面が脱濡れすると共に、くぼみ内部に幅狭の第１材料の第１構造が形成されるように、前記第１インクの少なくとも一部をアニールする工程、
を含む方法。
【請求項２】
前記側壁は、前記インクに対して前記ベースの表面よりも低い親和性を有するように構成され、または、
前記ベースの表面は、前記インクに対して前記側壁よりも低い親和性を有するように構成された、
請求項１に記載の方法。
【請求項３】
前記インクに対する親和性を、側壁とベースの材料選択により制御し、かつ／または、
前記インクに対する親和性を、前記側壁とベースの表面処理により制御し、かつ／または、
前記インクに対する親和性を、インクの濡れ特性を変更するために、所定の界面活性剤および／または溶媒をインクに追加することにより制御し、かつ／または、
前記インクに対する親和性を、前記インクにＵＶ光を照射することにより制御する、
請求項２に記載の方法。
【請求項４】
前記アニールする工程は、前記インクをマイクロ波に曝露することにより、かつ／または前記インクを５０℃から３５０℃の温度に曝す熱アニール工程を実施することにより、前記インク中の材料前駆体を無機材料に転移させる工程を含む、
請求項１から３のいずれか１項に記載の方法。
【請求項５】
前記アニールする工程は、前記無機固体材料をレーザに曝露して、前記無機材料の少なくとも一部を結晶材料に転移させる工程を含む、
請求項４に記載の方法。
【請求項６】
前記材料前駆体は、一般式がＳｉｎＸｍで表される１つまたは複数のシラン化合物を含む半導体前駆体を含み、
ここでＸは水素であり、ｎおよびｍは整数である、
請求項１から５のいずれか１項に記載の方法。
【請求項７】
前記アニールする工程は、前記くぼみ内部のベース面の少なくとも一部が脱漏れするように、前記１つまたは複数のくぼみ内で前記インクを所定時間ＵＶ光に曝露する工程を含む、
請求項６に記載の方法。
【請求項８】
前記１つまたは複数のくぼみの高さは、１０ｎｍから５０００ｎｍであり、かつ／または、
前記１つまたは複数のくぼみの幅は、４０ｎｍから５０００ｎｍである、
請求項１から７のいずれか１項に記載の方法。
【請求項９】
前記第１インクの少なくとも一部をアニールする工程の間、前記くぼみのベース面の中央部分が脱濡れしつつ、くぼみの底面のエッジに前記第１材料が堆積して第１構造が形成されるものであり、
前記第１構造を固体材料に転移させる工程をさらに含む、
請求項１から８のいずれか１項に記載の方法。
【請求項１０】
前記基板と第１構造を含むくぼみの少なくとも１つの上に第２インクを塗布する工程、ここで前記第２インクは、第２材料前駆体を含むものであり、
前記第２材料前駆体を固体の第２材料に転移させることにより、前記くぼみを横切るスタガード型第１薄膜を形成する工程、
をさらに含む、請求項９に記載の方法。
【請求項１１】
前記スタガード型第１薄膜の上に酸化物層を形成する工程、
前記第１構造とスタガード型第１薄膜の少なくとも一部を含むくぼみを第３インクで充填する工程、ここで前記第３インクは、第３材料前駆体を含むものであり、
第３材料前駆体を含む第２構造がくぼみ内部に形成されるように、前記第３インクの少なくとも一部をアニールする工程、
をさらに含む、請求項１０に記載の方法。
【請求項１２】
前記基板は透明基板であり、
前記基板の裏面をＵＶ光に曝露するときに、前記基板の上のレジストを選択的に露出させるマスクとして、前記第１構造を使用する、
請求項９に記載の方法。
【請求項１３】
前記第１インクの少なくとも一部をアニールする工程の間、前記くぼみの側壁に沿った領域が脱濡れしつつ、くぼみのベース面の中央に前記第１材料前駆体が堆積して第１構造が形成されるものであり、
前記第１構造を固体材料に転移させる工程、
前記第１構造の上に酸化物層を形成する工程、
前記第１構造を含むくぼみを第２インクで充填する工程、ここで前記インクは、第２材料前駆体を含むものであり、
前記第１構造の上で、第２材料前駆体を含む第２構造がくぼみの内側に形成されるように、前記第２インクの少なくとも一部をアニールする工程、
をさらに含む、請求項１から８のいずれか１項に記載の方法。
【請求項１４】
前記１つまたは複数のくぼみの少なくとも１つを、前記第１構造に対して整合する第２構造の形成の際にテンプレートとして使用する、
請求項１から１３のいずれか１項に記載の方法。
【請求項１５】
前記基板は、フレキシブル基板である、請求項１から１４のいずれか１項に記載の方法。
【請求項１６】
請求項１から１５のいずれか１項に記載の方法を用いて製造した薄膜デバイス。
【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
それぞれ第１のビームパターンの第１の光ビームを放射する１つ以上の第１の光源と、
それぞれ第２のビームパターンの第２の光ビームを放射する１つ以上の第２の光源と、
前記１つ以上の第１の光源及び前記１つ以上の第２の光源を取り囲むチャンバと、
を含み、
前記第２のビームパターンは、前記第１のビームパターンとは異なり、
各第１の光ビームの光軸は、各第２の光ビームの光軸と平行であり、
前記チャンバは、１つ以上の外側壁と射出窓とを含み、前記１つ以上の外側壁は、実質的に鏡面反射性であり、前記１つ以上の外側壁に入射する光の少なくとも一部分を前記射出窓に入射するように反射し、前記各第１の光ビームの前記光軸及び前記各第２の光ビームの前記光軸と実質的に平行であり、
前記外側壁は、部分的に鏡面反射性であったり、部分的に透過性であるセクションを含む、照明器具。
【請求項２】
前記射出窓は、前記射出窓に入射する前記第１及び第２の光ビームの少なくとも一部の制御されたビーム広がりを提供する、請求項１に記載の照明器具。
【請求項３】
前記射出窓は、１０乃至２０度の全幅半最大値を有するガウス散乱プロファイルを有するホログラフィック拡散器又は２乃至５のＦ値を有するレンズアレイを含む、請求項２に記載の照明器具。
【請求項４】
前記１つ以上の外側壁は、多面又は／及び曲面である、請求項１乃至３の何れか一項に記載の照明器具。
【請求項５】
前記チャンバは更に、１つ以上の内側壁を含み、前記１つ以上の内側壁は、実質的に鏡面反射性であり、前記１つ以上の内側壁に入射した光の少なくとも一部分を前記射出窓に入射するように反射し、前記各第１の光ビームの前記光軸及び前記各第２の光ビームの前記光軸と実質的に平行である、請求項１乃至４の何れか一項に記載の照明器具。
【請求項６】
前記チャンバは、前記チャンバの対称軸の周りの１つ以上の回転角度に対して回転対称であり、前記１つ以上の第１の光源及び／又は前記１つ以上の第２の光源は、前記チャンバの前記対称軸に対し左右対称に前記チャンバ内に配置される、請求項１乃至５の何れか一項に記載の照明器具。
【請求項７】
前記１つ以上の第１の光源及び前記１つ以上の第２の光源は、前記１つ以上の第１の光源及び前記１つ以上の第２の光源が、均等に分散かつ交互となるように前記チャンバ内に配置される、請求項１乃至６の何れか一項に記載の照明器具。
【請求項８】
前記１つ以上の第１の光源及び前記１つ以上の第２の光源は、少なくとも、第１のクラスタ及び第２のクラスタで、前記チャンバ内に配置され、前記第１のクラスタ及び前記第２のクラスタは、それぞれ、３×８のチェッカーボードパターン、又は、４×９のチェッカーボードパターンに配置された前記１つ以上の第１の光源及び前記１つ以上の第２の光源を有する、請求項７に記載の照明器具。
【請求項９】
前記１つ以上の第１の光源の数と、前記１つ以上の第２の光源の数との比は、３／７乃至７／３、好適には４／６乃至６／４、最も好適には１に等しい、請求項１乃至８の何れか一項に記載の照明器具。
【請求項１０】
前記１つ以上の外側壁は、それぞれ、前記１つ以上の第１の光源又は前記１つ以上の第２の光源のうちの最も近い光源から半ピッチの距離にある、請求項１乃至９の何れか一項に記載の照明器具。
【請求項１１】
前記１つ以上の第１の光源は、それぞれ、第１の光エミッタと関連のタスクビーム光学部品とを含み、
前記１つ以上の第２の光源は、それぞれ、第２の光エミッタと関連の周囲ビーム光学部品とを含む、請求項１乃至１０の何れか一項に記載の照明器具。
【請求項１２】
存在検出用の１つ以上のセンサと、
局所光測定用のセンサとの少なくとも一方を更に含む、請求項１乃至１１の何れか一項に記載の照明器具。
【請求項１３】
前記存在検出用の１つ以上のセンサは、第１のセンサと第２のセンサとを含み、前記第１のセンサは、前記第１の光ビームに実質的に重なる検出コーンを有し、前記第２のセンサは、広角センサである、請求項１２に記載の照明器具。
【請求項１４】
オフィス空間用の照明システムであって、
それぞれ第１のビームパターンの第１の光ビームを放射する１つ以上の第１の光源と、
それぞれ第２のビームパターンの第２の光ビームを放射する１つ以上の第２の光源と、
前記１つ以上の第１の光源及び前記１つ以上の第２の光源を取り囲むチャンバと、
を、それぞれ、含み、前記第２のビームパターンは、前記第１のビームパターンとは異なり、各第１の光ビームの光軸は、各第２の光ビームの光軸と平行であり、前記チャンバは、１つ以上の外側壁と射出窓とを含み、前記１つ以上の外側壁は、実質的に鏡面反射性であり、前記１つ以上の外側壁に入射する光の少なくとも一部分を前記射出窓に入射するように反射し、前記各第１の光ビームの前記光軸及び前記各第２の光ビームの前記光軸と実質的に平行であり、前記外側壁は、部分的に鏡面反射性であったり、部分的に透過性であるセクションを含む、複数の照明器具と、
前記オフィス空間のタスク及び背景領域照明レベル設定を獲得し、前記複数の照明器具によって生成される全照明パターンが前記オフィス空間の前記タスク及び背景領域照明レベル設定に対応するように、前記複数の照明器具のそれぞれの前記１つ以上の第１の光源及び前記１つ以上の第２の光源を制御する制御ユニットと、
を含む、照明システム。
【請求項１５】
前記複数の照明器具の少なくとも１つは、請求項２乃至１３の何れか一項に記載の照明器具である、請求項１４に記載の照明システム。
【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
コンピューティングデバイスにおいて、該コンピューティングデバイスの現在アクティブなアプリケーション又は構成要素が文字入力をサポートしていないときに、文字の入力を受信するステップと、
前記文字の入力に応答して、前記文字を検索語として表示するデータ入力部を含むシステムレベル検索ユーザインタフェースを表示するステップと
を含む、方法。
【請求項２】
前記システムレベル検索ユーザインタフェースは、ユーザがアプリケーションを選択することを可能にし、前記アプリケーションのユーザ選択に応答して、前記検索語に基づいて前記選択されたアプリケーションについての検索結果を表示する、請求項１に記載の方法。
【請求項３】
前記表示するステップは、
前記システムレベル検索ユーザインタフェースの検索結果部内に、前記検索語に基づく検索結果を、該検索結果の複数のエントリのうちの最初のエントリをフォーカスして、表示するステップと、
前記検索結果部のユーザ選択を必要とせずに、前記最初のエントリのユーザ選択に応答して前記最初のエントリに基づいて適切なアクションをとるステップと
をさらに含む、請求項１に記載の方法。
【請求項４】
前記表示するステップは、
前記システムレベル検索ユーザインタフェースの検索結果部内に、前記検索語に基づく検索結果を、該検索結果の複数のエントリのうちの最初のエントリをフォーカスして、表示するステップと、
前記検索結果部のユーザ選択を必要とせずに、１つ又は複数のキーボードの矢印キーのユーザ選択に応答して前記複数のエントリのうちフォーカスされるエントリを変更するステップと
をさらに含む、請求項１に記載の方法。
【請求項５】
コンピューティングデバイスであって、
１つ又は複数のプロセッサと、
前記１つ又は複数のプロセッサによって実行されると、該１つ又は複数のプロセッサに、
当該コンピューティングデバイスにおいて、キーボードショートカットであるユーザ入力を受信させ、
前記ユーザ入力に応答して、検索語が表示される第１の部分と、複数のユーザ選択可能な識別子が表示される第２の部分とを有するシステムレベル検索ユーザインタフェースを表示させる、
命令を記憶したコンピュータ記憶媒体と、
を含み、前記複数のユーザ選択可能な識別子は、前記検索語を使用して検索することができる複数の範囲のうちの１つを識別し、前記複数の範囲は前記検索語を使用して検索することができる１つ又は複数のアプリケーションを含む、コンピューティングデバイス。
【請求項６】
前記システムレベル検索ユーザインタフェースは、前記検索語を含む、前記コンピューティングデバイス上の１つ又は複数のアプリケーションを識別する検索結果を表示するアプリケーション範囲検索ユーザインタフェースを含む、請求項５に記載のコンピューティングデバイス。
【請求項７】
前記システムレベル検索ユーザインタフェースは、前記検索語を含む、前記コンピューティングデバイス上の１つ又は複数の構成設定制御要素を識別する検索結果を表示する設定範囲検索ユーザインタフェースを含む、請求項５に記載のコンピューティングデバイス。
【請求項８】
前記システムレベル検索ユーザインタフェースは、前記検索語を含む、前記コンピューティングデバイス上の１つ又は複数のファイルを識別する検索結果を表示するファイル範囲検索ユーザインタフェースを含む、請求項５に記載のコンピューティングデバイス。
【請求項９】
前記システムレベル検索ユーザインタフェースは、検索結果が表示される第３の部分をさらに含み、前記検索結果は、前記検索語と、前記第２の部分内の前記複数のユーザ選択可能な識別子のうちのどの識別子がフォーカスされているかに基づく、請求項５に記載のコンピューティングデバイス。
【請求項１０】
前記システムレベル検索ユーザインタフェースは、前記複数のユーザ選択可能な識別子の各々について、前記検索語に基づく前記複数の範囲のうち前記識別された１つについての検索結果内のエントリ数の指示をさらに含む、請求項５に記載のコンピューティングデバイス。
【手続補正２】
【補正対象書類名】明細書
【補正対象項目名】００２１
【補正方法】変更
【補正の内容】
【００２１】
アプリケーション特有の範囲とは、検索結果を生成することができる特定のアプリケーション１１２を指す。アプリケーション特有の範囲内で検索語を検索することは、特定のアプリケーション１１２が（特定のアプリケーション１１２がどのような様式を所望するかにかかわらず）検索語を検索し、（特定のアプリケーション１１２がどのような様式を所望するかにかかわらず）検索結果を提供することを指す。アプリケーション１１２のうち、検索結果を生成することができる特定のアプリケーションは、下記により詳細に説明されるように、システムレベル検索モジュール１１８に登録されているアプリケーション１１２である。
【手続補正３】
【補正対象書類名】明細書
【補正対象項目名】００５４
【補正方法】変更
【補正の内容】
【００５４】
アプリケーション特有範囲識別子が選択されたことに応答して、データ入力部２０４内の、選択された識別されているアプリケーションについての検索語の検索結果が、検索結果部２０８内に表示される。選択されたアプリケーションは、どの項目が検索語を含むかを決定し、検索結果部２０８のための検索結果及び表示を生成する。図６の図示される例では、映画アプリケーションの３本の映画が検索語を含んでおり、これらの映画の識別子が、検索結果部２０８内に「Ｔｈｅ  Ｐａｔｒｉｏｔ」、「Ｐｌａｎｅｔ  ｏｆ  ｔｈｅ  Ａｐｅｓ」及び「Ｐｓｙｃｈｏ」として表示される。図示されるように、検索結果部２０８は、（例えば「映画アプリケーション（Ｍｏｖｉｅ  Ａｐｐｌｉｃａｔｉｏｎ）」のようなアプリケーションの名前、アプリケーションを表すアイコン又は記号等を表示することによって）選択されたアプリケーションの指示を含むこともでき、選択されたアプリケーションの指示を、データ入力部２０４に近接して（例えばその上に）提供することができる。図示されていないが、任意選択的に、選択されたアプリケーションの検索結果の数の指示（例えば「（３）」）を検索結果部２０８内に、及び／又は選択されたアプリケーションのアプリケーション特有範囲識別子２１２に隣接して含むこともできる。
【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
コンピューティングデバイスにおける方法であって、
前記コンピューティングデバイスにアプリケーションをインストールするステップと、
前記アプリケーションに関連づけられたアプリケーションマニフェストを受け取るステップであって、前記アプリケーションマニフェストは、前記アプリケーションがアクセスを許可される１つ以上のファイルタイプを示す、ステップと、
ブローカーサービスによってアクセス可能な場所に前記１つ以上のファイルタイプを記録するステップであって、前記ブローカーサービスは、前記アプリケーションによるアクセスを、記録された１つ以上のファイルタイプのファイルに限定するように形成される、記録するステップと
を含む、方法。
【請求項２】
前記アプリケーションをアプリケーションプロセスとして起動するステップと、
前記アプリケーションプロセスをアプリケーションコンテナへロードするステップであって、前記アプリケーションコンテナは、前記アプリケーションプロセスによるファイルシステムデータへの直接的なアクセスを拒否する、ステップと、
前記ファイルシステムデータのうちの第１のデータに関連するアクセス要求を、前記アプリケーションプロセスから前記ブローカーサービスで受け取るステップと、
前記ブローカーサービスが、前記第１のデータのファイルタイプは前記記録された１つ以上のファイルタイプに含まれると判断した場合、前記アプリケーションプロセスによる前記第１のデータへのアクセスを可能にするステップと
をさらに含む、請求項１に記載の方法。
【請求項３】
前記１つ以上のファイルタイプは、１つ以上のファイル拡張子、ファイルの種類、または、他のファイル属性またはメタデータを含み、前記記録するステップは、
前記ブローカーサービスによってはアクセス可能であるが前記アプリケーションプロセスによってはアクセス可能でないセキュアな場所に、前記アプリケーションのための前記アプリケーションマニフェストにおいて示された、前記１つ以上のファイル拡張子、ファイルの種類、または、他のファイル属性またはメタデータのインジケーションを記憶するステップ
を含む、請求項２に記載の方法。
【請求項４】
前記アプリケーションプロセスをアプリケーションコンテナへロードするステップは、
前記アプリケーションコンテナのための識別子を含む前記アプリケーションプロセスのためのトークンを生成するステップであって、前記トークンは、前記アプリケーションプロセスによって変更不可能である、生成するステップ
を含む、請求項３に記載の方法。
【請求項５】
前記ファイルシステムデータのうちの第１のデータに関連するアクセス要求を、前記アプリケーションプロセスから前記ブローカーサービスで受け取るステップは、
前記トークンと前記アクセス要求において要求された前記第１のデータのインジケーションとを前記ブローカーサービスで受け取るステップ
を含む、請求項４に記載の方法。
【請求項６】
前記アプリケーションプロセスによる前記第１のデータへのアクセスを可能にするステップは、
前記ブローカーサービスによって、前記アクセス要求において要求された前記第１のデータの前記インジケーションに基づいて前記第１のデータのファイルタイプを決定するステップと、
前記ブローカーサービスによって、前記セキュアな場所における前記アプリケーションのための前記記録された１つ以上のファイルタイプにアクセスするステップと、
前記ブローカーサービスによって、前記第１のデータのファイルタイプが前記記録された１つ以上のファイルタイプに含まれるかどうかを判断するステップと、
前記ブローカーサービスによって、前記第１のデータのファイルタイプが前記記録された１つ以上のファイルタイプに含まれると判断された場合に前記アプリケーションプロセスが前記第１のデータにアクセスできるようにするステップと
を含む、請求項５に記載の方法。
【請求項７】
前記アプリケーションプロセスによる前記第１のデータへのアクセスを可能にするステップは、
前記ブローカーサービスによって、前記第１のデータのファイルタイプが前記記録された１つ以上のファイルタイプに含まれないと判断された場合に前記アプリケーションプロセスによる前記第１のデータへのアクセスを拒否するステップ
を含む、請求項６に記載の方法。
【請求項８】
前記拒否するステップは、
前記第１のデータのファイルを読み取ること、前記第１のデータのフォルダのコンテンツを読み取ること、前記第１のデータのファイルまたはフォルダのうちの少なくとも１つに書き込むこと、前記第１のデータのファイルまたはフォルダの名前を変更すること、前記第１のデータのファイルまたはフォルダを移動すること、或いは前記第１のデータのファイルまたはフォルダを上書きコピーすることのための前記アプリケーションプロセスによるアクセスを拒否するステップ
を含む、請求項７に記載の方法。
【請求項９】
コンピューティングデバイスであって、
前記コンピューティングデバイスにインストールされたアプリケーションと、前記アプリケーションに関連づけられたアプリケーションマニフェストと、を記憶したストレージであって、前記アプリケーションマニフェストは、前記アプリケーションがアクセスを許可される１つ以上のファイルタイプを示す、ストレージと、
ブローカーサービスを含み、前記ブローカーサービスによってアクセス可能な場所に前記アプリケーションマニフェストによって示された前記１つ以上のファイルタイプを記録する、処理ロジックであって、前記ブローカーサービスは、前記アプリケーションによるアクセスを、前記記録されたファイルタイプのファイルに限定するように形成されている、処理ロジックと
を備える、コンピューティングデバイス。
【請求項１０】
請求項１乃至８のいずれか一項に記載の方法をコンピューティングデバイスのプロセッサに実行させるコンピュータプログラム。
【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
ブラジャーカップの下側縁部の領域のための支持部材であって、
着用者の胸骨のところに位置するための、または、前記着用者の胸骨のところに隣接して位置するための内側端部と、
前記着用者の側方部のところに位置するための、または、前記着用者の側方部のところに隣接して位置するための外側端部と、
を備え、
前記支持部材が前記内側端部と前記外側端部との間に延在する細長い部分を有しており、
前記細長い部分は湾曲しており、前記細長い部分が前記内側端部と前記外側端部との間で延在しながら前記細長い部分の前記湾曲が三次元的に変化しており、
前記細長い部分が、前記内側端部および前記外側端部の中間に移行領域を有しており、
前記細長い部分の前記湾曲が、前記移行領域の外側よりも、前記移行領域の内側においてきつくなっており、
前記移行領域が、前記内側端部よりも前記外側端部に近く、前記支持部材の長さに沿って、前記外側端部から約２５％から４０％の間に位置しており、
前記細長い部分が、前記移行領域において、前記細長い部分の伸長軸線周りに捩じれている、支持部材。
【請求項２】
前記移行領域が、前記支持部材の長さに沿って、前記外側端部から約３分の１に位置している、請求項１に記載の支持部材。
【請求項３】
前記支持部材の伸長方向に対して垂直な方向における前記支持部材の断面形状が、実質的に長方形である、請求項１または２に記載の支持部材。
【請求項４】
前記細長い部分が、第１、第２、第３、および第４の外部表面を有しており、前記第１、第２、第３、および第４の外部表面のそれぞれが、前記支持部材の前記外側端部と前記内側端部との間に延在しており、第１および第２の表面が実質的に互いに対向しており、また、第３および第４の表面が実質的に互いに対向しており、前記第３および第４の表面が、前記第１および第２の表面に対して実質的に垂直である、請求項１から３のいずれか一項に記載の支持部材。
【請求項５】
第１および第２の表面が、前記第３および第４の表面のそれぞれの幅よりも大きい幅を、それぞれ有している、請求項４に記載の支持部材。
【請求項６】
前記第１の表面が、乳房の下および側方に、前記着用者の身体の前記表面の輪郭に実質的に平行に置かれるように構成されている、請求項４または５に記載の支持部材。
【請求項７】
前記第３および第４の表面が丸みを帯びている、請求項４から６のいずれか一項に記載の支持部材。
【請求項８】
前記第１および第２の表面が、前記細長い部分の長さに沿って実質的に同じままの幅を、それぞれ有している、請求項４から７のいずれか一項に記載の支持部材。
【請求項９】
前記第１および第２の表面のそれぞれの幅が、前記支持部材の前記外側端部および前記内側端部において漸減する、請求項４から８のいずれか一項に記載の支持部材。
【請求項１０】
前記支持部材が、支持部材がたどる前記湾曲した経路を通って延在している概念上のベストフィット平面を有しており、前記支持部材が、前記ベストフィット平面の一方または両方の側部において、５ｍｍよりも大きく延在している、請求項１から９のいずれか一項に記載の支持部材。
【請求項１１】
前記支持部材が、前記ベストフィット平面の一方または両方の側部において、７ｍｍよりも大きく延在している、請求項１０に記載の支持部材。
【請求項１２】
前記支持部材が、ポリマー材料を含む、請求項１から１１のいずれか一項に記載の支持部材。
【請求項１３】
ブラジャーカップであって、前記ブラジャーカップの下側縁部に隣接する、請求項１から１２のいずれか一項に記載の支持部材を備える、ブラジャーカップ。
【請求項１４】
前記ブラジャーカップが、前記支持部材を受け入れるために、前記ブラジャーカップの前記下側縁部に隣接するチャネルを備える、請求項１３に記載のブラジャーカップ。
【請求項１５】
前記チャネルが、内側端部および外側端部、ならびに、前記内側端部と前記外側端部との間に延在する細長い部分を含み、前記チャネルの前記細長い部分が、湾曲しており、前記細長い部分が前記チャネルの前記内側端部と前記外側端部との間で延在しながら前記細長い部分の前記湾曲が三次元的に変化している、請求項１４に記載のブラジャーカップ。
【請求項１６】
前記チャネルの、もしくは前記ブラジャーカップの前記下側縁部の、またはその両方の前記湾曲は、前記支持部材の前記湾曲と実質的に同じである、請求項１３から１５のいずれか１項に記載のブラジャーカップ。
【請求項１７】
前記ブラジャーカップは、パッドを備え、前記支持部材が、前記パッドの中に埋め込まれている、請求項１３に記載のブラジャーカップ。
【請求項１８】
前記ブラジャーカップが、凹形表面を有する第１の部分と、凸形表面を有する第２の部分とを備え、前記凹形表面および前記凸形表面が、前記支持部材の周りに、少なくとも部分的に当接して位置付けられて、互いに固定されている、請求項１７に記載のブラジャーカップ。
【請求項１９】
前記支持部材が、前記第１の部分および前記第２の部分の一方または両方に接合されている、請求項１８に記載のブラジャーカップ。